(57)【要約】【課題】簡素な構造とすることによりコネクタの小型化を図り、全体を薄型化できる照明器具を提供する。【解決手段】  照明器具１０は、コネクタ１５のコネクタ本体２３に、接触端子２４を収納するための接触端子収納溝２５を形成した電源側挿入部２６と、接触端子２４に接続されたリード線１４の一部を収納するためリード線収納溝２７を有するとともにリード線１４を引き出すための引出口２８を有するリード線引出部２９と、をＬ字に接続した。【選択図】図３
2011113749.tif 000002
【特許請求の範囲】
【請求項１】
電源側の配線部品に接続されて負荷側に電力を供給するためのコネクタを有する照明器具であって、
前記コネクタは、絶縁物からなりＬ字形状に形成されたコネクタ本体を有し、前記コネクタ本体には、接触端子を収納するための接触端子収納溝を形成した電源側挿入部と、前記接触端子に接続されたリード線の一部を収納するためリード線収納溝を有するとともに前記リード線を引き出すための引出口を有するリード線引出部と、がＬ字に接続されており、前記コネクタ本体は、前記電源側挿入部が前記電源側の配線部品に挿入されて前記接触端子が前記電源側の配線部品に電気的に接続された際に、前記リード線引出部が前記電源側の配線部品の表面に略当接配置される照明器具。
【請求項２】
前記電源側の配線部品が、引掛シーリングボディに接続固定して機械的及び電気的に接続保持するアダプタである請求項１に記載の照明器具。
【発明の詳細な説明】
【技術分野】
【０００１】
本発明は、引掛シーリングボディにアダプタを接続固定することにより住宅等の天井面に直接取り付けられる直付型の照明器具に関する。
【背景技術】
【０００２】
従来の照明器具の一例として、リード線の先端に接続されたコネクタをアダプタに装着するようにしたものがある（例えば、特許文献１参照）。
【先行技術文献】
【特許文献】
【０００３】
【特許文献１】特開２００８−４７３６０号公報（図１、段落番号００２１）
【発明の概要】
【発明が解決しようとする課題】
【０００４】
ところが、特許文献１に開示された従来の照明器具においては、コネクタから引き出されたリード線が、コネクタの挿入方向と同一軸上逆方向の下方に向けて引き出されている。
従って、特許文献１の照明器具においては、リード線をコネクタの挿入方向に直交する方向に引き出す場合に、リード線をコネクタの引き出し部分から直角方向に曲げたとしても、少なくともリード線の直径分がコネクタ本体から突出することになって薄型化を阻害する要因となっていた。
【０００５】
一方、リード線をコネクタの挿入方向と直交する方向に向けて引き出してコネクタカバーによりリード線を規制するようにした照明器具も提案されたが、このような照明器具では、リード線に印加された張力がコネクタカバーに直接伝わることになる。
従って、このような照明器具においては、コネクタカバーの固定を強固にしなければならず、それにより、コネクタの大型化をまねく要因となりうる。加えて、このような照明器具においては、電気機器の絶縁間隙と沿面距離との総称と定義される絶縁距離を十分に確保する必要があるにもかかわらず、コネクタカバーに有する隙間が絶縁に影響するために、ある程度の厚みを必要として小型化に際して限界がある。
【０００６】
本発明は、前述した課題を解決するためになされたものであり、その目的は、簡素な構造とすることによりコネクタの小型化を図り、全体を薄型化できる照明器具を提供することにある。
【課題を解決するための手段】
【０００７】
本発明に係る照明器具は、電源側の配線部品に接続されて負荷側に電力を供給するためのコネクタを有する照明器具であって、前記コネクタは、絶縁物からなりＬ字形状に形成されたコネクタ本体を有し、前記コネクタ本体には、接触端子を収納するための接触端子収納溝を形成した電源側挿入部と、前記接触端子に接続されたリード線の一部を収納するためリード線収納溝を有するとともに前記リード線を引き出すための引出口を有するリード線引出部と、がＬ字に接続されており、前記コネクタ本体は、前記電源側挿入部が前記電源側の配線部品に挿入されて前記接触端子が前記電源側の配線部品に電気的に接続された際に、前記リード線引出部が前記電源側の配線部品の表面に略当接配置される。
【０００８】
本発明においては、コネクタの電源側挿入部が電源側の配線部品に挿入されることにより、リード線がリード線引出部の引出口から横方向へ引き出され、リード線引出部が電源側の配線部品の表面に略当接配置されるために、コネクタの電源側の配線部品からの突出量が小さくなる。
従って、本発明においては、簡素な構造とすることによりコネクタの小型化を図り、コネクタの電源側の配線部品からの突出量を小さくすることにより全体を薄型化できる。
【０００９】
本発明に係る照明器具は、上記照明器具において、前記電源側の配線部品が、引掛シーリングボディに接続固定して機械的及び電気的に接続保持するアダプタである。
【００１０】
本発明においては、コネクタの電源側挿入部がアダプタに挿入される構造とすることにより、絶縁距離を十分に確保してコネクタを小型化できる。
【発明の効果】
【００１１】
本発明の照明器具によれば、コネクタの電源側挿入部が電源側の配線部品に挿入されることにより、リード線がリード線引出部の引出口から横方向へ引き出され、リード線引出部が電源側の配線部品の表面に略当接配置されるために、コネクタの電源側の配線部品からの突出量が小さくなる。
これにより、本発明の照明器具によれば、簡素な構造とすることによりコネクタの小型化を図り、コネクタの電源側の配線部品からの突出量を小さくすることにより全体を薄型化できるという効果を有する。
【図面の簡単な説明】
【００１２】
【図１】本発明に係る一実施形態の照明器具のコネクタ装着前の垂直断面図
【図２】図１の照明器具のコネクタ装着後の垂直断面図
【図３】図１のコネクタの組立手順を説明するリード線組込前の斜め下方から視た一部破断外観斜視図
【図４】図１のコネクタの組立手順を説明するリード線組込後の斜め下方から視た外観斜視図
【図５】図４のコネクタの正面図
【図６】図２の照明器具のコネクタ周りの断面図
【発明を実施するための形態】
【００１３】
以下、本発明の一実施形態に係る照明器具について図面を参照して説明する。
図１、図２に示すように、本発明の一実施形態である照明器具１０は、器具本体１１と、器具本体１１に組付けられた取付ホルダ１２と、取付ホルダ１２に内嵌された電源側の配線部品であるアダプタ１３と、一対のリード線１４が接続されてアダプタ１３に挿入接続されるコネクタ１５と、を備え、コネクタ１５の下方において器具本体１１に不図示の円環形状の蛍光ランプを保持し、器具本体１１に不図示のカバーを装着して、アダプタ１３を天井面１に設置されている引掛シーリングボディ２に掛止することにより天井面１に直接取り付けられる。
【００１４】
器具本体１１は、例えば厚みの薄い鋼板材を用いて円板形状に形成されている。器具本体１１の中央部には取付ホルダ１２を装着させるためのホルダ取付孔１６が形成されている。器具本体１１は、その外縁部の下面に複数の不図示のランプ保持部品を取り付けており、これらランプ保持部品を介して蛍光ランプが保持される。取付ホルダ１２は、例えば硬質の樹脂材料を用いて小判形状の外観に形成されて中央部に円環部１７を有し、器具本体１１のホルダ取付孔１６に内嵌されている。取付ホルダ１２は、円環部１７の内周部にアダプタ係止用の係止突部受１８を有する。
【００１５】
アダプタ１３は、取付ホルダ１２の円環部１７に内嵌される外径寸法を有し、内部に一対のアダプタ端子１９を収容している。アダプタ端子１９は、その一端部に、引掛シーリングボディ２内に収容されている不図示の一対の給電端子に引掛けられて給電端子に電気的に接続される屈曲端部２０をそれぞれ有する。アダプタ端子１９は、その他端部に、アダプタ１３の下面に形成されているコネクタ挿着孔２１内に配置される不図示のコネクタ接続端部を有する。アダプタ１３は、回動されてから、その外周部に形成されている係止突部２２が取付ホルダ１２の係止突部受１８に係止されることにより取付ホルダ１２に取り付けられ、アダプタ端子１９が引掛シーリングボディ２の給電端子に掛止されることにより器具本体１１を天井面１に機械的および電気的に接続保持する機能を有する。
【００１６】
図３に示すように、コネクタ１５は、絶縁性を有する硬質の樹脂材料を用いてＬ字形状に形成されたコネクタ本体２３を有し、コネクタ本体２３に、一対の接触端子２４を収納するための一対の接触端子収納溝２５を形成した電源側挿入部２６と、一対の接触端子収納溝２５に連通していて一対の接触端子２４に接続された一対のリード線１４の端部を収納するための一対のリード線収納溝２７を有するとともに一対のリード線１４を引き出すための一対の引出口２８を有するリード線引出部２９と、がＬ字状に接続されている。
【００１７】
接触端子２４は、電源側接続部３０とリード線かしめ部３１とを一体に有する。電源側接続部３０は、リード線１４の被覆３２を除去されて露出した芯線３３に電気的に接続されており、コネクタ１５がアダプタ１３のコネクタ挿着孔２１に挿着されることにより、アダプタ１３内においてアダプタ端子１９のコネクタ接続端部に電気的に接続される。電源側接続部３０は、その両側部に一対のランス３４が突出形成されている。リード線かしめ部３１は、リード線１４の被覆３２にかしめられることによりリード線１４を保持する。
【００１８】
電源側挿入部２６には、接触端子収納溝２５の側部に、接触端子収納溝２５の幅寸法よりも小さく、接触端子２４の電源側接続部３０とリード線かしめ部３１との外形寸法およびリード線１４の外径寸法よりもわずかに小さい幅寸法を有するスリット状の接触端子収納溝側抜止部３５が形成されている。接触端子収納溝２５には、電源側接続部３０のランス３４を係止させるためのランス係止部３６がそれぞれ形成されているとともに、入り口部分にテーパ部３７を有する。リード線引出部２９の側部には、接触端子収納溝側抜止部３５に連通されていて、リード線収納溝２７の幅寸法よりも小さく、リード線１４の外径寸法よりもわずかに小さい幅寸法を有するスリット状のリード線収納溝側抜止部３８が形成されている。リード線収納溝２７は底面に接触端子２４のリード線かしめ部３１が当接することにより接触端子２４を位置決めるための底面３９を有する。
【００１９】
次に、コネクタ１５の組立手順について説明する。
電源側接続部３０にリード線１４の芯線３３がはんだ付け等の接合手段により電気的に接続されるとともにリード線かしめ部３１によりリード線１４がかしめられた接触端子２４が、電源側接続部３０を上方に配置されるとともにリード線１４を水平方向に向けられてコネクタ本体２３の電源側挿入部２６の上方に配置される。
【００２０】
次に、接触端子収納溝側抜止部３５に縦方向にリード線１４を押圧挿入しながら、リード線かしめ部３１、電源側接続部３０の順に接触端子２４を接触端子収納溝２５に挿入していく。このとき、リード線１４は、接触端子収納溝側抜止部３５のテーパ部３７により接触端子収納溝側抜止部３５にスムースに誘導され、接触端子収納溝側抜止部３５がリード線１４の外径寸法よりもわずかに小さい幅寸法を有するために損傷を受けることがない。
【００２１】
続いて、リード線１４を接触端子収納溝側抜止部３５からリード線収納溝側抜止部３８に押圧挿入していく。このとき、リード線収納溝側抜止部３８がリード線１４の外径寸法よりもわずかに小さい幅寸法を有するために、リード線１４に損傷を与えることはない。
【００２２】
図４、図５に示すように、リード線１４は、リード線収納溝側抜止部３８に押圧挿入されることにより、リード線引出部２９においてリード線収納溝２７内に収納されて引出口２８から水平方向に引き出される。そして、接触端子収納溝２５に挿入された接触端子２４は、リード線かしめ部３１がリード線収納溝２７の底面３９に当接することにより位置決めされ、同時的に、電源側接続部３０のランス３４がランス係止部３６に係止されることにより接触端子収納溝２５に抜け止められて組付けられる。これにより、接触端子収納溝２５に挿入された接触端子２４は接触端子収納溝側抜止部３５により接触端子収納溝２５内に保持され、リード線収納溝２７に挿入されたリード線１４はリード線収納溝側抜止部３８によりード線収納溝２７内に保持される。
【００２３】
図６に示すように、コネクタ１５は、アダプタ１３のコネクタ挿着孔２１に挿入されることにより、接触端子２４の電源側接続部３０がアダプタ端子１９のコネクタ接続端部に電気的に接続されて、引掛シーリングボディ２内の給電端子を通じて接触端子２４に商用電源が与えられる。このとき、電源側挿入部２６がアダプタ１３のコネクタ挿着孔２１に挿入されたコネクタ１５は、リード線引出部２９がアダプタ１３の下面に略当接配置されることによりリード線１４がアダプタ１３の下面に沿って水平方向に引き出される。リード線１４は、器具本体１１に取り付けられる不図示の安定器に電気的に接続される。安定器は不図示の器具配線を通じて不図示のランプソケットに電気的に接続される。ここで、リード線引出部２９のリード線収納溝２７は、アダプタ１３側に開口していてアダプタ１３により略閉塞されるために感電の虞はない。また、コネクタ本体２３が一体構造であるために、万が一に、リード線１４に図６中の下方に向く引張荷重がかかったとしても、その荷重に十分耐えることによりコネクタ本体２３が破損に至る虞もない。
【００２４】
本発明の一実施形態の照明器具１０では、コネクタ１５の電源側挿入部２６がアダプタ１３に挿入されることにより、リード線１４がリード線引出部２９の引出口２８から水平方向へ引き出され、リード線引出部２９がアダプタ１３の下面に略当接配置されるために、コネクタ１５のアダプタ１３からの突出量が小さくなる。
従って、本発明の一実施形態の照明器具１０では、簡素な構造とすることによりコネクタ１５の小型化を図り、コネクタ１５のアダプタ１３からの突出量を小さくすることにより薄型化できる。
【００２５】
本発明の一実施形態の照明器具１０では、コネクタ１５の電源側挿入部２６がアダプタ１３に挿入される構造とすることにより、絶縁距離を十分に確保してコネクタ１５を小型化できる。
【００２６】
なお、前記各実施形態で使用した器具本体１１、取付ホルダ１２、アダプタ１３等は例示したものに限定するものではなく適宜変更が可能である。
【符号の説明】
【００２７】
２  引掛シーリングボディ
１０  照明器具
１３  アダプタ（電源側の配線部品）
１４  リード線
１５  コネクタ
２３  コネクタ本体
２４  接触端子
２５  接触端子収納溝
２６  電源側挿入部
２７  リード線収納溝
２８  引出口
２９  リード線引出部
【図１】
2011113749.tif 000003
【図２】
2011113749.tif 000004
【図３】
2011113749.tif 000005
【図４】
2011113749.tif 000006
【図５】
2011113749.tif 000007
【図６】
2011113749.tif 000008